(57)【要約】【課題】  枠形のフロントパネルに嵌めた液晶パネルのコーナー部を固定する為の固定部品の提供。【解決手段】  固定部品１２は上記液晶パネル７の背面コーナー部に当接する押え基板１、該押え基板１の縦縁と横縁には起立した縦ガイド２と横ガイド３を設け、押え基板１にはバックパネル２３をフロントパネル６に固定する為のネジ２５が挿通する穴４を貫通し、そして押え基板１の内面にはゴム板５を貼着している。【選択図】    図１
2008145727.tif 000002
【特許請求の範囲】
【請求項１】
枠形のフロントパネルに嵌めた液晶パネルのコーナー部を固定する為の固定部品において、固定部品は上記液晶パネルの背面コーナー部に当接する押え基板、該押え基板の縦縁と横縁には起立した縦ガイドと横ガイドを設け、押え基板にはバックパネルをフロントパネルに固定する為のネジが挿通する穴を貫通し、そして押え基板の内面にはクッション板を貼着したことを特徴とする液晶パネルの固定部品。
【請求項２】
上記縦ガイドと横ガイドの内面にもクッション板を貼着した請求項１記載の液晶パネルの固定部品。
【請求項３】
枠形のフロントパネルに液晶パネルを嵌めてそのコーナー部を固定部品にて固定した液晶表示装置において、フロントパネルの上桟、下桟、及び縦桟には位置決めリブを内側に設けて液晶パネルを位置決めし、そして、固定部品は押え基板、該押え基板の縦縁と横縁には起立した縦ガイドと横ガイドを設け、押え基板には穴を貫通し、そして押え基板の内面にはクッション板を貼着したもので、又、フロントパネルのコーナー部にはネジ穴を設けたボスを起立し、該ボスの両側には嵌合溝を形成したガイド部を起立し、上記固定部品の縦ガイドと横ガイドをガイド部の嵌合溝に嵌合すると共に押え基板を液晶パネルのコーナー部背面に当接して取付け、バックパネルをフロントパネルにネジ止めする為のネジを押え基板に貫通して設けた穴に挿通してネジ止めしたことを特徴とする液晶表示装置。
【発明の詳細な説明】
【技術分野】
【０００１】
本発明は汎用性のある固定部品を介してフロントパネルに液晶パネルを正しくしかも簡単に固定することが出来る液晶表示装置に関するものである。
【背景技術】
【０００２】
液晶テレビは画像を形成する液晶パネルと、この液晶パネル裏側には回路基板を取付けた基板取付けホルダーが取着されている。そして、液晶パネルはフロントパネルにネジ止めされ、背面側にはバックパネルが取付けられる。フロントパネルとバックパネルは互いに分離が可能なように互いにネジ止めされた連結構造と成っている。
【０００３】
図７はバックパネルを外した従来の液晶テレビの背面図であり、液晶パネル（イ）は枠体を構成しているフロントパネル（ロ）に嵌り、周囲がネジ止めされている。この場合、液晶パネル（イ）の両側には断面Ｌ形のアングル（ハ）、（ニ）がネジ止めされ、このアングル（ハ）、（ニ）を介して上記フロントパネル（ロ）にネジ（チ）、（チ）・・にてネジ止めした構造となっている。そして、液晶パネル（イ）の上下側はネジ（リ）、（リ）・・にてフロントパネル（ロ）にネジ止めされている。
【０００４】
図８は液晶パネル（イ）の両側にアングル（ハ）とアングル（ニ）が取付けられた場合を示している。上記アングル（ハ）、（ニ）を側方からネジ止めして取着した液晶パネル（イ）はフロントパネル（ロ）に上記図７のように取付けられる。アングル（ハ）、（ニ）には凹部（ホ）、（ホ）・・が絞り加工されていて、アングル面からネジの頭が突出しないように、これら凹部（ホ）、（ホ）・・に嵌ってフロントパネル（ロ）にネジ止めされる。
【０００５】
図９は液晶パネル（イ）の背面にバックパネル（ト）を取付けた場合であり、バックパネル（ト）は上記アングル（ハ）、（ニ）に設けた穴（ヘ）、（ヘ）・・を貫通してフロントパネル（ロ）に設けたネジ穴に螺合して締め付けられる。このように、アングル（ハ）、（ニ）は液晶パネル（イ）の両側にネジ止めされるが、該液晶パネル（イ）のサイズが変化する場合、フロントパネル（ロ）の大きさも変わり、同じくアングル（ハ）、（ニ）の大きさや形状も変化する。その為に、液晶テレビの型式ごとに専用のアングル（ハ）、（ニ）を製作しなくてはならず、製造コストを引き上げる要因となっている。
【０００６】
実用新案登録第３１１１６７０号に係る「パネル表示テレビジョンおよびパネル表示装置」は、キャビネットを汎用化させつつ、簡単な作業で表示モジュールを正確な位置に取り付けることが可能な構造としている。
そこで、 第一のスペーサと第二のスペーサによって液晶パネルの隅部を前後に挟みつつ、第一のスペーサと第二のスペーサをフロントキャビネットに対して固定するため、フロントキャビネットを汎用部材として使用することができる。すなわち、第一のスペーサまたは第二のスペーサを液晶パネルの形状に合わせて設計しておけば、液晶パネルの形状が変更される度にフロントキャビネットの変更を行わなくても済む。
【０００７】
特開２００１−８３４８６号に係る「液晶表示パネルの取付構造」は、大きさや形状が異なる液晶表示パネルを、同一の表示部筐体に装着可能としている。
そこで、 取付具は、取付具本体と第一取付部を有する。このうち取付具本体には、表示部筐体の筐体側取付部に合致する位置に第二取付部が設けられている。そして、この第二取付部には、筐体側取付部に形成されたねじ穴に接合する位置に孔が穿設されている。また、第一取付部は、液晶表示パネルのパネル側取付部と接合する位置に孔が穿設されている。このように表示部筐体及び液晶表示パネルのそれぞれの取付部に取り付け可能な取付具を用いることにより、液晶表示パネルを表示部筐体に装着することができる。
【０００８】
特開２０００−１００８２号に係る「液晶表示素子の取付構造および液晶表示装置」は、既存のキャビネットを、サイズや取付方式が異なる液晶表示素子に使用して、液晶表示装置の製造コストを抑制するものである。
そこで、 液晶表示素子とキャビネットとの間に、上記液晶表示素子に設けられた取付穴と、上記キャビネットに設けられたボスとに合わせた位置にネジ穴を備えた取付穴変換部材を装着する。上記取付穴変換部材を用いることにより、液晶表示素子とは異なるサイズまたは取付方式の液晶表示素子用に設計されているキャビネットに、上記液晶表示素子を取り付けることができる。
【特許文献１】実用新案登録第３１１１６７０号に係る「パネル表示テレビジョンおよびパネル表示装置」
【特許文献２】特開２００１−８３４８６号に係る「液晶表示パネルの取付構造」
【特許文献３】特開２０００−１００８２号に係る「液晶表示素子の取付構造および液晶表示装置」
【発明の開示】
【発明が解決しようとする課題】
【０００９】
このように、従来の液晶パネルの取付け構造には色々な方法が知られている。しかし、従来の液晶パネルをフロントパネルに固定する部品は比較的大きく、又、フロントパネルと固定部品との位置決めが不安定であり、結果的に液晶パネルを正しく固定出来ない。そして、液晶パネルをフロントパネルに固定した状態でバックパネルを取付ける構造と成っているために、液晶パネル単独のネジ止めなどに要する組み立て工数は増大する。一方、液晶パネルは従来のブラウン管に比較して軽く成っているが、液晶テレビの重量の殆どは液晶パネルである。この重い液晶パネルを樹脂製の軽いフロントパネルとバックパネルで挟み込んだ状態で固定部品を介して取付ける構造であり、搬送時に作用する衝撃は液晶パネルに直接影響する。
本発明はこれらの問題を解決する為の固定部品の提供であり、又、該固定部品を用いて液晶パネルを固定した液晶表示装置を提供する。
【課題を解決するための手段】
【００１０】
液晶パネルは枠形を成すフロントパネルに嵌り、フロントパネルの内側に設けた位置決めリブにより液晶パネルの左右位置(横方向位置)及び上下位置が規制される。そして、本発明の固定部品はフロントパネルのコーナー部に設置され、フロントパネルに嵌った液晶パネルを固定する。ここで、固定部品は押え基板と該押え基板の縦縁には縦ガイドが設けられ、横縁には横ガイドが設けられていて、押え基板は液晶パネルの背面コーナー部に当接し、縦ガイド及び横ガイドは液晶パネルのコーナー部に起立したガイド部の嵌合溝に嵌って位置決めされる。
【００１１】
そして、固定部品の内面、すなわち押え基板の内面、及び縦ガイド内面、横ガイド内面にはゴム板などのクッション板が貼着されている。一方、フロントパネル側にはネジ穴を設けたボスが起立し、上記ガイド部の嵌合溝に縦ガイド及び横ガイドが嵌って位置決めされた固定部品は、バックパネルをネジ止めするネジが押え基板に貫通して設けた穴を挿通して、上記ボスのネジ穴に螺合して締付けられる。
【発明の効果】
【００１２】
液晶パネルは位置決めリブで規制されてフロントパネルに嵌り、ガイド部の嵌合溝に縦ガイドと横ガイドが嵌合して位置決めされた固定部品がコーナー部に取付けられ、液晶パネルのコーナー部を押圧して固定することが出来る。フロントパネルから起立するボスは、固定部品の押え基板に設けた穴と位置決めされ、この状態でバックパネルをネジ止めすることが出来る。
【００１３】
バックパネルを締付けるネジは上記ボスのネジ穴に螺合し、バックパネルを固定すると同時に固定部品を押圧し、該固定部品を介して液晶パネルのコーナー部が固定される。そして、固定部品の内面にはクッション板が貼着されている為に、バックパネルと共にネジ止めされた状態であっても内面のクッション板によって緩衝効果が得られる為に、梱包された液晶表示装置を搬送する際には、固定部品によって衝撃が和らげることが出来る。このクッション板は押え基板の他に縦ガイド、横ガイドの３面に貼着するならば３方向の衝撃に対して効果を有す。
【実施例】
【００１４】
図１は本発明に係る固定部品を表している実施例であり、(ａ)は表面側を示し、(ｂ)は内面側を示している。該固定部品は概略長方形の押え基板１、縦ガイド２、及び横ガイド３を有し、縦ガイド２は押え基板１の縦縁に起立して設けられ、横ガイド３は押え基板１の横縁に起立して設けられている。そして、押え基板１のコーナー部には穴４が貫通している。又、固定部品の内面である押え基板１の内面、縦ガイド２の内面、横ガイド３の内面にはクッション板として機能するゴム板５が貼着されている。
【００１５】
図２はフロントパネル６に液晶パネル７を嵌めた状態を示している。フロントパネル６は上桟８と下桟１０、及び縦桟９，９を有した長方形の枠体を構成している。上記上桟８、下桟１０、及び縦桟９，９には夫々２箇所に位置決めリブ１１，１１・・が内側へ突出して設けられ、該フロントパネル６に嵌った液晶パネル７はこれら各位置決めリブ１１，１１・・によって位置決めされている。
【００１６】
ここで、液晶パネル７の背面側には基板が取付けられ、該基板には各種の電子部品が装着されているが、液晶パネル７の形態や電子部品が装着される基板の取付け構造などに関して本発明は限定しない。ところで、図３に示すように、フロントパネル６に嵌った液晶パネル７の４箇所のコーナー部には固定部品１２，１２・・が取付けられていて、該液晶パネル７はフロントパネル６の各桟に設けた位置決めリブ１１，１１・・にて正しく位置決めされ、固定部品１２，１２・・にてコーナー部が押圧される。
【００１７】
図４は固定部品１２を取付ける前のフロントパネルコーナー部の詳細図、図５は固定部品１２が取付けられたフロントパネルコーナー部の詳細図を夫々表している。フロントパネル６のコーナー部にはボス１３が起立し、このボス１３にはネジ穴１４が設けられている。そして、該ボス１３を挟んだ両側にはガイド部１５ａ，１５ｂが起立し、ガイド部１５ａ，１５ｂには嵌合溝１６ａ，１６ｂを形成している。
【００１８】
そこで、固定部品１２はその縦ガイド２がガイド部１５ｂの嵌合溝１６ｂに嵌り、横ガイド３がガイド部１５ａの嵌合溝１６ａに嵌って取付けられる。押え基板１のコーナーに設けた穴４はボス１３の上に位置することになり、ネジ穴１４が該押え基板１にて塞がれることがないように位置決めされる。
【００１９】
フロントパネル６の内周部、すなわち上桟８、下桟１０、及び縦桟９，９の内側には所々にボス１７，１７・・を起立し、これら各ボス１７，１７・・はリブ１８，１８・・にて互いに連結され、しかもボス１７，１７・・は外壁１９とリブ２０，２０・・にて連結している。すなわち、ボス１７，１７・・とリブ１８，１８・・、２０，２０・・にてフロントパネル６の強度・剛性の向上を図っている。
【００２０】
又、上記ボス１７，１７・・の一部にはネジ穴２１，２１・・が設けられ、更に他の一部には上端から凸部２２，２２・・を突出している。この状態でバックパネル２３が図６のように取付けられる。バックパネル２３は上記凸部２２，２２・・にて位置決めされ、１０本のネジ２４，２４・・と４本のネジ２５，２５・・にて締付けられてフロントパネル６に固定される。１０本のネジ２４，２４・・はボス１７，１７・・のネジ穴２１，２１・・に螺合して締付けられ、他の４本のネジ２５，２５・・はボス１３，１３・・に設けたネジ穴１４，１４・・に螺合する。従って、ネジ２５をネジ穴１４に締付けることで、固定部品１２はバックパネル２３に押圧されて液晶パネル７が固定される。
【００２１】
すなわち、固定部品１２はバックパネル２３と液晶パネル７との間に挟まれて、バックパネル２３をネジ止めすることで液晶パネル７のコーナー部を押圧・固定することが出来る。本発明では、液晶パネル７を単独でネジ止め・固定することなく、フロントパネル６に嵌めることで位置決めリブ１１，１１・・にて位置決めされ、この状態でバックパネル２３を取付けると同時に液晶パネル７が固定される。
【００２２】
勿論、該固定部品１２，１２・・を取付けしなくても、フロントパネル６に液晶パネル７を嵌めた状態でバックパネル２３をネジ止めすることで固定することは可能である。しかし、固定部品１２，１２・・を液晶パネル７とバックパネル２３との間に介在することで液晶パネル７に作用する衝撃を緩和することが出来る。
【図面の簡単な説明】
【００２３】
【図１】本発明に係る固定部品を示す実施例。
【図２】フロントパネルに液晶パネルを嵌めた状態。
【図３】フロントパネルに液晶パネルを嵌めると共にコーナー部には固定部品を取付けた場合。
【図４】固定部品が取付けられる前のフロントパネルのコーナー部拡大図。
【図５】固定部品が取付けられた場合のフロントパネルのコーナー部拡大図。
【図６】フロントパネルにバックパネルを取付けた場合。
【図７】バックパネルを外した従来の液晶テレビの背面図。
【図８】アングルを取付けた従来の液晶パネル。
【図９】従来の液晶テレビの背面図。
【符号の説明】
【００２４】
１  押え基板
２  縦ガイド
３  横ガイド
４  穴
５  ゴム板
６  フロントパネル
７  液晶パネル
８  上桟
９  縦桟
10  下桟
11  位置決めリブ
12  固定部品
13  ボス
14  ネジ穴
15  ガイド部
16  嵌合溝
17  ボス
18  リブ
19  外壁
20  リブ
21  ネジ穴
22  凸部
23  バックパネル
24  ネジ
25  ネジ
【図１】
2008145727.tif 000003
【図２】
2008145727.tif 000004
【図３】
2008145727.tif 000005
【図４】
2008145727.tif 000006
【図５】
2008145727.tif 000007
【図６】
2008145727.tif 000008
【図７】
2008145727.tif 000009
【図８】
2008145727.tif 000010
【図９】
2008145727.tif 000011